(57)【要約】【課題】総再生時間が長いコンテンツであっても、簡単な操作で、上記コンテンツの再生位置を細かく設定することができるため、利便性が高い位置入力装置を得る。【解決手段】画像表示装置１は、シークバー１０及びシークバー１０に重畳されたアイコン１０ａを表示する表示部２を備え、表示部２に近接されたユーザーの指の位置を検出する入力部３と、ユーザーがアイコン１０ａを長押ししているか否かを判定する入力情報判定部３３と、入力情報判定部３３が長押ししていると判定すると、長押し時間と対応付けて登録されている倍率値で、コンテンツの時間軸を拡大してシークバー１０に割り当てるシークバー制御部３２とを備えている。【選択図】図１
2013214192.tif 000002
【特許請求の範囲】
【請求項１】
再生しているコンテンツの時間軸を表すシークバーと、当該シークバーに重畳表示され、上記コンテンツの時間軸上の位置を表すアイコンと、が表示されている表示部を備えており、上記アイコンの上記シークバー上の位置を指定することで、上記コンテンツの再生位置の指定が可能な位置入力装置であって、
上記表示部に近接された対象物の位置を検出する入力部と、
上記入力部が検出した上記対象物の位置が上記アイコンの表示位置であり、上記対象物の位置が所定時間固定されているか否かを判定する入力情報判定部と
上記入力情報判定部が、上記対象物の位置が上記アイコンの表示位置であり、上記対象物の位置が所定時間固定されていると判定すると、当該所定時間と対応付けて登録されている倍率値で、上記コンテンツの時間軸を拡大して上記シークバーに割り当てるシークバー制御部とを備えていることを特徴とする位置入力装置。
【請求項２】
上記所定時間として複数の時間と、当該複数の時間のそれぞれに対応付けられている上記倍率値とが登録されている倍率値情報と、当該倍率値情報を記憶している記憶部とを備え、
上記入力情報判定部は、上記倍率値情報に登録されている時間毎に、上記対象物の位置が所定時間固定されているか否かを判定し、
上記シークバー制御部は、上記対象物の位置が固定されていると上記入力情報判定部が判定した上記時間毎に、当該時間のそれぞれと対応付けられている倍率値を取得し、当該取得した倍率値毎に、上記コンテンツの時間軸を拡大して上記シークバーに割り当てることを特徴とする請求項１に記載の位置入力装置。
【請求項３】
上記シークバー制御部が、上記コンテンツの時間軸を拡大して上記シークバーに割り当てている際に、上記入力部による上記対象物の位置の検出が一定時間行われない場合、
上記シークバー制御部は、拡大して上記シークバーに割り当てている上記コンテンツの時間軸を縮小して、上記シークバーに割り当てることを特徴とする請求項１又は２に記載の位置入力装置。
【請求項４】
上記シークバー制御部が、上記対象物の位置が固定されていると上記入力情報判定部が判定した上記時間のそれぞれに対応付けられている上記倍率値毎に、上記コンテンツの時間軸を拡大して上記シークバーに割り当てている際に、上記入力部による上記対象物の位置の検出が一定時間行われない場合、
上記シークバー制御部は、拡大して上記シークバーに割り当てている上記コンテンツの時間軸を、上記一定時間経過毎に縮小して、上記シークバーに割り当てていくことを特徴とする請求項２に記載の位置入力装置。
【請求項５】
上記シークバー制御部は、上記倍率値毎に、上記シークバーの表示態様を変更して、上記表示部に表示させることを特徴とする請求項２又は４に記載の位置入力装置。
【請求項６】
上記シークバー制御部は、上記倍率値毎に、上記シークバーの色を変更するか、色の濃度を変更するか、シークバーの太さを変更して、上記表示部に表示させることを特徴とする請求項５に記載の位置入力装置。
【請求項７】
上記シークバー制御部は、上記倍率値毎に、上記シークバー上を上記アイコンが移動する際に発信させる移動音を異ならせることを特徴とする請求項２、４〜６の何れか１項に記載の位置入力装置。
【請求項８】
上記シークバー制御部は、上記コンテンツの時間軸のうち、上記シークバーに現在割り当てられている再生時間帯と隣接する再生時間帯を、上記倍率値一定のまま、上記シークバーに割り当てるための再生時間帯送り用アイコンを、上記表示部に表示させることを特徴とする請求項１〜７の何れか１項に記載の位置入力装置。
【請求項９】
上記シークバー制御部は、倍率値を、上記シークバーに現在割り当てられている上記コンテンツの時間軸の倍率値に固定するための固定用アイコンを上記表示部に表示させることを特徴とする請求項１〜８の何れか１項に記載の位置入力装置。
【請求項１０】
再生しているコンテンツの時間軸を表すシークバーと、当該シークバーに重畳表示され、上記コンテンツの時間軸上の位置を表すアイコンと、が表示されている表示部を備え、
上記アイコンの上記シークバー上の位置を指定することで、上記コンテンツの再生位置の指定が可能な位置入力装置の制御方法であって、
上記表示部に近接された対象物の位置を検出する入力ステップと、
上記入力ステップで検出した上記対象物の位置が上記アイコンの表示位置であり、上記対象物の位置が所定時間固定されているか否かを判定する入力情報判定ステップと、
上記入力情報判定ステップで、上記対象物の位置が上記アイコンの表示位置であり、上記対象物の位置が所定時間固定されていると判定すると、当該所定時間と対応付けて登録されている倍率値で、上記コンテンツの時間軸を拡大して上記シークバーに割り当てるシークバー制御ステップとを有することを特徴とする位置入力装置の制御方法。
【請求項１１】
コンピュータに、請求項１０に記載の各ステップを実行させる位置入力装置の制御プログラム。
【請求項１２】
請求項１１に記載の制御プログラムを記録したコンピュータ読み取り可能な記録媒体。
【発明の詳細な説明】
【技術分野】
【０００１】
本発明は、シークバー上のアイコンの位置を指定することで、再生しているコンテンツの再生位置の指定が可能な位置入力装置、位置入力装置の制御方法、制御プログラム、及びコンピュータ読み取り可能な記録媒体に関する。
【背景技術】
【０００２】
一般的に、動画や音声等のコンテンツを電子機器で再生している際、併せてシークバーが表示される。このシークバーには、動画や音声等、再生しているコンテンツの再生に合せて移動するアイコンが配されている。
【０００３】
ユーザーは、このシークバーのアイコンを移動させることで、例えば、動画を再生している場合、見たいシーンまで動画をスキップさせることができる。
【０００４】
図１５は、一般的なシークバーを表す図であり、（ａ）は総再生時間が短いコンテンツのシークバーを表し、（ｂ）は総再生時間が長いコンテンツのシークバーを表している。
【０００５】
なお、以降の説明では、コンテンツの総再生時間の長さのことをコンテンツの尺と称し、相対的に総再生時間の長さが短いコンテンツを短尺コンテンツと称し、相対的に総再生時間の長さが長いコンテンツを長尺コンテンツと称する場合がある。
【０００６】
図１５の（ａ）は、コンテンツの尺が１分（１：００）である短尺コンテンツを再生する際に表示されるシークバー８０１を表しており、（ｂ）はコンテンツの尺が６０分（６０：００）である長尺コンテンツを再生する際に表示されるシークバー８０２を表している。
【０００７】
シークバー８０１には、コンテンツの再生に伴いシークバー８０１上を移動するアイコン８０１ａが配されており、シークバー８０２には、コンテンツの再生に伴いシークバー８０２上を移動するアイコン８０２ａが配されている。
【０００８】
図１５の（ａ）（ｂ）に示すように、一般的に、コンテンツの尺の長さに関わらず、シークバー８０１・８０２の長さは固定されている。このため、コンテンツの尺の長さによって、シークバー８０１・８０２の一目盛り当たりの値が増減する。この結果、再生するコンテンツが長尺になればなるほど、アイコンを移動させて、コンテンツの再生時間における位置を、細かく指定することが難しくなる。
【０００９】
このため、ユーザーの操作性を向上させるため、特許文献１、２には以下の技術が開示されている。
【００１０】
図１６（ａ）は、特許文献１に開示されたシークバーを表す図である。図１６（ａ）に示すように、シークバー８０３には、コンテンツの再生に応じて移動するアイコン８０３ａが配されている。
【００１１】
シークバー８０３を、リモコンから入力されるユーザーからの指示に応じて、例えば３つの区間８０３ｂ・８０３ｃ・８０３ｄに分割する。そして、分割された複数の区間８０３ｂ・８０３ｃ・８０３ｄのうち、アイコン８０３ａが配されている区間８０３ｃを拡大表示する。これにより、ユーザーは、アイコン８０３ａを移動させることで、コンテンツの再生時間のうち、区間８０３ｃに含まれている時間帯の位置を細かく指定することができる。
【００１２】
図１６（ｂ）は特許文献２のシークバーを表す図である。図１６（ｂ）に示すように、シークバー８０４には、コンテンツの再生に応じて移動するアイコン８０４ａが配されている。
【００１３】
シークバー８０４は、現在のアイコン８０４ａの位置を原点とし、当該原点からコンテンツの再生開始時刻に相当する時間軸上の位置であるシークバー８０４の左端（「０：００」が表示されている位置）、及び、当該原点からコンテンツの再生終了時刻に相当する時間軸上の位置であるシークバー８０４の右端（「６０：００」が表示されている位置）までを、それぞれ指数関数的に曲線で結ぶ。
【００１４】
このようにして、特許文献２では、シーンをスキップするための目盛りの値を、この曲線に合せて、原点からの距離に応じて加速度的に大きくしている。これにより、アイコン８０４ａが配されている近傍の区間８０４ｂでは、細かくアイコン８０４ａの時間軸上の位置を設定することができ、また、離れたシーンへ動画を素早くスキップさせることができる。
【先行技術文献】
【特許文献】
【００１５】
【特許文献１】特開２００２‐１０９８６３号公報（２００２年４月１２日公開）
【特許文献２】特開２００９‐１７４８６号公報（２００９年１月２２日公開）
【発明の概要】
【発明が解決しようとする課題】
【００１６】
しかし、図１６（ａ）に示すシークバー８０３では、区間８０３ｃとは異なる区間である区間８０３ｂや区間８０３ｄを拡大させる場合は、ユーザーは再度、リモコンから拡大操作を入力する必要があり、入力に手間がかかる。また、区間８０３ｃを拡大表示する際の拡大率を異なる拡大率に変更したい場合は、ユーザーは、再度、リモコン操作により入力する必要があり、この点でも、入力に手間がかかり、ユーザーの利便性が悪い。
【００１７】
図１６（ｂ）に示すシークバー８０４では、アイコン８０４ａが配されている近傍しか細かい時間位置の指定を行うことができず、アイコン８０４ａから離れた時間位置を細かく指定することができず、ユーザーの利便性が悪い。
【００１８】
本発明は、上記の問題点を解決するためになされたもので、その目的は、総再生時間が長いコンテンツの再生位置の細かい設定を可能とすると共に、ユーザーの利便性を向上させることである。
【課題を解決するための手段】
【００１９】
上記の課題を解決するために、本発明の位置入力装置は、再生しているコンテンツの時間軸を表すシークバーと、当該シークバーに重畳表示され、上記コンテンツの時間軸上の位置を表すアイコンと、が表示されている表示部を備えており、上記アイコンの上記シークバー上の位置を指定することで、上記コンテンツの再生位置の指定が可能な位置入力装置であって、上記表示部に近接された対象物の位置を検出する入力部と、上記入力部が検出した上記対象物の位置が上記アイコンの表示位置であり、上記対象物の位置が所定時間固定されているか否かを判定する入力情報判定部と、上記入力情報判定部が、上記対象物の位置が上記アイコンの表示位置であり、上記対象物の位置が所定時間固定されていると判定すると、当該所定時間と対応付けて登録されている倍率で、上記コンテンツの時間軸を拡大して上記シークバーに割り当てるシークバー制御部とを備えていることを特徴としている。
【００２０】
上記の課題を解決するために、本発明の位置入力装置の制御方法は、再生しているコンテンツの時間軸を表すシークバーと、当該シークバーに重畳表示され、上記コンテンツの時間軸上の位置を表すアイコンと、が表示されている表示部を備え、上記アイコンの上記シークバー上の位置を指定することで、上記コンテンツの再生位置の指定が可能な位置入力装置の制御方法であって、上記表示部に近接された対象物の位置を検出する入力ステップと、上記入力ステップで検出した上記対象物の位置が上記アイコンの表示位置であり、上記対象物の位置が所定時間固定されているか否かを判定する入力情報判定ステップと、上記入力情報判定ステップで、上記対象物の位置が上記アイコンの表示位置であり、上記対象物の位置が所定時間固定されていると判定すると、当該所定時間と対応付けて登録されている倍率値で、上記コンテンツの時間軸を拡大して上記シークバーに割り当てるシークバー制御ステップとを有することを特徴としている。
【００２１】
上記構成によると、上記入力情報判定部が、上記入力部が検出した上記対象物の位置が上記アイコンの表示位置であり、上記対象物の位置が所定時間固定されていると判定すると、上記シークバー制御部が、当該所定時間と対応付けて登録されている倍率で、上記コンテンツの時間軸を拡大して上記シークバーに割り当てる。
【００２２】
このため、ユーザーは、時間軸の拡大前に、距離が長い移動を素早くすることができる。また、上記対象物として、例えば指を上記アイコンに接触させ、所定時間、その接触させた位置を固定させるだけで、上記シークバーに割り当てられる、上記コンテンツの時間軸を拡大させることができる。これにより、再生位置の細かい設定を行なうことができる。この結果、総再生時間が長いコンテンツであっても、簡単な操作で、上記コンテンツの再生位置を細かく設定することができるため、利便性が高い位置入力装置を得ることができる。
【００２３】
また、上記所定時間として複数の時間と、当該複数の時間のそれぞれに対応付けられている上記倍率値とが登録されている倍率値情報と、当該倍率値情報を記憶している記憶部とを備え、
上記入力情報判定部は、上記倍率値情報に登録されている時間毎に、上記対象物の位置が所定時間固定されているか否かを判定し、
上記シークバー制御部は、上記対象物の位置が固定されていると上記入力情報判定部が判定した上記時間毎に、当該時間のそれぞれと対応付けられている倍率値を取得し、当該取得した倍率値毎に、上記コンテンツの時間軸を拡大して上記シークバーに割り当てることが好ましい。
【００２４】
上記構成により、ユーザーは、指等の対象物の、上記アイコンへの接触時間を変更するだけで、上記コンテンツの時間軸の、上記シークバーへの割り当てを段階的に拡大させることができる。このため、簡単な操作で、上記コンテンツの再生位置の素早い移動と、細かい位置の設定とを切替えることができ、利便性が高い位置入力装置を得ることができる。
【００２５】
また、上記シークバー制御部が、上記コンテンツの時間軸を拡大して上記シークバーに割り当てている際に、上記入力部による上記対象物の位置の検出が一定時間行われない場合、上記シークバー制御部は、拡大して上記シークバーに割り当てている上記コンテンツの時間軸を縮小して、上記シークバーに割り当てることが好ましい。
【００２６】
上記構成により、ユーザーは、上記アイコンの表示位置に接触させていた、例えば指等上記対象物を、一定時間離すだけで、上記シークバー制御部は、拡大して上記シークバーに割り当てている上記コンテンツの時間軸を縮小して、上記シークバーに割り当てる。これにより、ユーザーは、簡単な操作により、上記シークバーに割り当てられていた拡大された時間軸を戻すことができるため、利便性が高い位置入力装置を得ることができる。
【００２７】
また、上記シークバー制御部が、上記対象物の位置が固定されていると上記入力情報判定部が判定した上記時間のそれぞれに対応付けられている上記倍率値毎に、上記コンテンツの時間軸を拡大して上記シークバーに割り当てている際に、上記入力部による上記対象物の位置の検出が一定時間行われない場合、上記シークバー制御部は、拡大して上記シークバーに割り当てている上記コンテンツの時間軸を、上記一定時間経過毎に縮小して、上記シークバーに割り当てていくことが好ましい。
【００２８】
上記構成により、ユーザーは、指等の対象物を、上記アイコンへから離す時間を変更するだけで、上記コンテンツの時間軸の、上記シークバーへの割り当てを段階的に縮小させることができる。このため、簡単な操作で、上記コンテンツの再生位置の素早い移動と、細かい位置の設定とを切替えることができ、利便性が高い位置入力装置を得ることができる。
【００２９】
また、上記シークバー制御部は、上記倍率値毎に、上記シークバーの表示態様を変更して、上記表示部に表示させることが好ましい。具体的には、上記シークバー制御部は、上記倍率値毎に、上記シークバーの色を変更するか、色の濃度を変更するか、シークバーの太さを変更して、上記表示部に表示させることが好ましい。
【００３０】
上記構成により、ユーザーは、視覚的に上記シークバーに割り当てられている時間軸の倍率値を把握することができるため、利便性が高い位置入力装置を得ることができる。
【００３１】
また、上記シークバー制御部は、上記倍率値毎に、上記シークバー上を上記アイコンが移動する際に発信させる移動音を異ならせることが好ましい。上記構成により、ユーザーは、聴覚的に上記シークバーに割り当てら得ている時間軸の倍率値を把握することができるため、利便性が高い位置入力装置を得ることができる。
【００３２】
また、上記シークバー制御部は、上記コンテンツの時間軸のうち、上記シークバーに現在割り当てられている再生時間帯と隣接する再生時間帯を、上記倍率値一定のまま、上記シークバーに割り当てるための再生時間帯送り用アイコンを、上記表示部に表示させることが好ましい。
【００３３】
上記構成により、現在の再生位置から離れた再生位置への素早い移動と、細かい位置の設定とを両立させることができる。
【００３４】
また、上記シークバー制御部は、倍率値を、上記シークバーに現在割り当てられている上記コンテンツの時間軸の倍率値に固定するための固定用アイコンを上記表示部に表示させることが好ましい。
【００３５】
上記構成により、上記シークバーに割り当てられている時間軸が、誤操作などにより、ユーザーが意図しない倍率値に変更されることを防止することができる。このため、利便性が高い位置入力装置を得ることができる。
【００３６】
なお、上記は、コンピュータによって実現してもよい。この場合、コンピュータを上記各ステップとして動作させることにより上記をコンピュータにおいて実現する制御プログラム、およびその制御プログラムを記録したコンピュータ読み取り可能な記録媒体も、本発明の範疇に入る。
【発明の効果】
【００３７】
本発明の位置入力装置は、再生しているコンテンツの時間軸を表すシークバーと、当該シークバーに重畳表示され、上記コンテンツの時間軸上の位置を表すアイコンと、が表示されている表示部を備えており、上記アイコンの上記シークバー上の位置を指定することで、上記コンテンツの再生位置の指定が可能な位置入力装置であり、上記表示部に近接された対象物の位置を検出する入力部と、上記入力部が検出した上記対象物の位置が上記アイコンの表示位置であり、上記対象物の位置が所定時間固定されているか否かを判定する入力情報判定部と上記入力情報判定部が、上記対象物の位置が上記アイコンの表示位置であり、上記対象物の位置が所定時間固定されていると判定すると、当該所定時間と対応付けて登録されている倍率で、上記コンテンツの時間軸を拡大して上記シークバーに割り当てるシークバー制御部とを備えている。
【００３８】
本発明の位置入力装置の制御方法は、再生しているコンテンツの時間軸を表すシークバーと、当該シークバーに重畳表示され、上記コンテンツの時間軸上の位置を表すアイコンと、が表示されている表示部を備え、上記アイコンの上記シークバー上の位置を指定することで、上記コンテンツの再生位置の指定が可能な位置入力装置の制御方法であって、
上記表示部に近接された対象物の位置を検出する入力ステップと、上記入力ステップで検出した上記対象物の位置が上記アイコンの表示位置であり、上記対象物の位置が所定時間固定されているか否かを判定する入力情報判定ステップと、上記入力情報判定ステップで、上記対象物の位置が上記アイコンの表示位置であり、上記対象物の位置が所定時間固定されていると判定すると、当該所定時間と対応付けて登録されている倍率値で、上記コンテンツの時間軸を拡大して上記シークバーに割り当てるシークバー制御ステップとを有する。
【００３９】
これにより、総再生時間が長いコンテンツであっても、簡単な操作で、上記コンテンツの再生位置を細かく設定することができるため、利便性を向上させることができるという効果を奏する。
【図面の簡単な説明】
【００４０】
【図１】本発明の位置入力装置の構成を表す機能ブロック図である。
【図２】本発明の位置入力装置の構成を表す図である。
【図３】（ａ）は、シークバー上のアイコンが１秒長押しされる前のシークバーを表し、（ｂ）はシークバー上のアイコンが１秒長押しされた後のシークバーを表している。
【図４】（ａ）はシークバー上のアイコンが３秒長押しされる前のシークバー１０を表し、（ｂ）はシークバー上のアイコンが３秒長押しされた後のシークバーを表している。
【図５】粒度に応じて濃淡が異なるシークバーを表す図である。
【図６】シークバーの粒度を小さくした場合に、コンテンツの総再生時間内をスライドさせる操作を説明する図である。
【図７】粒度に応じて色が異なるシークバーを表す図である。
【図８】粒度に応じてシークバー上のアイコンを移動する際の音が異なるシークバーの構成を表している。
【図９】コンテンツの総再生時間内をスライドさせて、シークバーへの割り当て時間を変更する操作を説明する図である。
【図１０】現在の再生位置から離れた再生位置を細かく設定する操作を説明する図である。
【図１１】シークバーの近傍に配された倍率固定用アイコンを配している様子を表す図である。
【図１２】本発明の位置入力装置の処理の流れを表すフローチャートである。
【図１３】倍率値として、コンテンツの時間軸の倍率を割り当てた場合の倍率値情報の構成を表す図である。
【図１４】倍率値として、シークバーの一目盛り当たりの再生時間を割り当てた場合の倍率値情報の構成を表す図である。
【図１５】一般的なシークバーを表す図である。
【図１６】（ａ）（ｂ）は従来のシークバーを表す図である。
【発明を実施するための形態】
【００４１】
以下、本発明の実施の形態について、詳細に説明する。
【００４２】
（画像表示装置１の外観）
図２は画像表示装置１の構成を表す図である。
【００４３】
画像表示装置（位置入力装置）１は、表示部２と、入力部３とを備えている。また、図２には図示しないが、画像表示装置１は、さらに、スピーカー４、記憶部２０、制御部３０等を備えている。
【００４４】
画像表示装置１は、例えば、テレビ映像やストリーミング映像等の動画コンテンツ、写真などの静止画コンテンツ、又は、音楽等の音声コンテンツ等さまざまなコンテンツを再生したり、又は、それらのコンテンツを記録メディア等に記録したりすることが可能な電子機器である。
【００４５】
表示部２は、画像表示装置１が再生しているコンテンツの動画、又は静止画を表示するための画像の表示部である。表示部２は、画像表示装置１が再生しているコンテンツの時間軸を表すシークバー１０を表示すると共に、その再生しているコンテンツの時間軸上に位置を表すアイコン（プログレスアイコン）１０ａをシークバー１０に重畳表示する。
【００４６】
なお、画像表示装置１が音声コンテンツの再生専用である場合は、表示部２は、シークバー１０及びアイコン１０ａが少なくとも表示可能であればよい。表示部２は、例えば、ＬＣＤ（液晶表示装置）等からなる。
【００４７】
なお、本実施の形態では、画像表示装置１は動画コンテンツを再生するものとして説明する。
【００４８】
入力部３は、表示部２に近接された、例えばユーザーの指等の対象物の、表示部２上の位置を検出し、当該検出した位置を、ユーザーの指示として画像表示装置１内に入力するものである。入力部３は、タッチパネルである。入力部３は表示部２の表面であって画像表示領域に配されている。
【００４９】
シークバー１０には、画像表示装置１が再生しているコンテンツの時間軸上の位置を示すアイコン１０ａが配されている。コンテンツの再生に伴い、アイコン１０ａは、シークバー１０の左端から右端に向う方向に移動する。また、ユーザーは、シークバー１０上のアイコン１０ａの位置を移動させる（指定する）ことで、コンテンツの再生位置を指定することができ、動画をスキップし、所望のシーンの動画を画像表示装置１に再生させることができる。
【００５０】
シークバー１０の左端１０ｂは、画像表示装置１が再生しているコンテンツの時間軸上の原点を表す。シークバー１０の左端１０ｂの近傍には、現在再生されているコンテンツの先端値１１ｂとして時間「０：００」が表示されている。
【００５１】
シークバー１０の右端１０ｃは、画像表示装置１が再生しているコンテンツの時間軸上の終点を表す。シークバー１０の右端１０ｃの近傍には、現在再生されているコンテンツの終端値１１ｃとして時間「６０：００」が表示されている。
【００５２】
コンテンツの時間軸がシークバー１０に拡大表示されず、通常の状態で、シークバー１０の右端１０ｃの近傍に表示されている、コンテンツの終端値１１ｃである時間「６０：００」が、画像表示装置１が現在再生しているコンテンツの総再生時間、すなわちコンテンツの尺の長さを表している。
【００５３】
また、シークバー１０には、所定の均等な間隔に目盛りｚが付されている。一例として、本実施の形態では、シークバー１０の左端１０ｂから右端１０ｃまでを６分割するように目盛りｚは付されている。シークバー１０のうち、一目盛り分の区間が区間１０ｚである。
【００５４】
画像表示装置１は、ユーザーの指が、シークバー１０に配されているアイコン１０ａに所定時間以上接触し、また、接触位置が固定されていることを検出すると、その検出した所定時間の長さに対応して、段階的に、コンテンツの時間軸を拡大して、シークバー１０に割り当て、表示部２に表示する。なお、シークバー１０の長さ（左端１０ｂから右端１０ｃまでの距離）は、コンテンツの時間軸の拡大表示前後を通じて、常に一定である。
【００５５】
以降の説明では、ユーザーが、アイコン１０ａに所定時間以上指を接触させ、かつ、その接触した指の位置を移動させず固定していることを長押しと称する場合がある。また、シークバー１０の単位長さ当たりに対応付けられたコンテンツの再生時間の長さを粒度と称する場合がある。
【００５６】
（画像表示装置１の構成の説明）
次に、図１を用いて画像表示装置１の構成について説明する。図１は、画像表示装置１の構成を表す機能ブロック図である。
【００５７】
図１に示すように、画像表示装置１は、表示部２と、入力部３と、スピーカー４と、記憶部２０と、制御部３０とを備えており、それらは互いに接続されている。
【００５８】
記憶部２０は、ＲＯＭ２１と、ＲＡＭ２２とを備えている。
【００５９】
ＲＯＭ２１は、画像表示装置１を動作させるために必要なプログラムや各種データを記憶する記憶部である。
【００６０】
ＲＯＭ２１には、動画アプリケーション、静止画アプリケーション、又は音声アプリケーション等を再生したり記録したりするための各種プログラム等が記憶されている。
【００６１】
ＲＡＭ２２は、画像表示装置１の動作に必要な情報を一次記憶するための記憶部である。ＲＡＭ２２には、ＲＯＭ２１から読み出されたデータ等が適宜記憶される。
【００６２】
ＲＡＭ２２には、本実施形態の場合、画像表示装置１がコンテンツを再生している際、当該再生しているコンテンツの総再生時間を表すコンテンツ総再生時間情報２２ａや、当該コンテンツの時間軸を表すシークバー１０を表示するためのシークバー表示情報２２ｂが記憶されている。
【００６３】
シークバー表示情報２２ｂには、コンテンツ再生位置情報２２ｃや、倍率値情報２２ｄ等が含まれている。
【００６４】
コンテンツ再生位置情報２２ｃはシークバー１０にアイコン１０ａを表示するための情報である。コンテンツ再生位置情報２２ｃは、現在再生しているコンテンツの時間軸上の再生位置を表す。
【００６５】
倍率値情報２２ｄには、所定時間と、再生しているコンテンツの時間軸を拡大するための倍率値とが複数、対応付けて登録されている。
【００６６】
倍率値情報２２ｄの一例を図１３及び図１４に示す。
【００６７】
図１３は、倍率値として、コンテンツの時間軸の倍率を割り当てた場合の倍率値情報２２ｄの構成をあらわしている。
【００６８】
図１４は、倍率値として、シークバー１０の一目盛り当たりの再生時間を割り当てた場合の倍率値情報２２ｄの構成を表している。
【００６９】
倍率値情報２２ｄの所定時間は、ユーザーがアイコン１０ａを長押ししているか否かを、入力情報判定部３３（後述する）が判定するための時間である。
【００７０】
倍率値情報２２ｄには、段階的に値が大きくなるように、複数の所定時間が登録されている。一例として、所定時間は、０秒、１秒、３秒、５、秒、７秒、９秒と登録されている。
【００７１】
倍率値情報２２ｄの倍率値は、再生しているコンテンツの時間軸を拡大するための倍率である。倍率値情報２２ｄには、段階的に値が大きくなるように、各所定時間と対応付けて、複数の倍率値が登録されている。
【００７２】
一例として、図１３では、倍率値は、１倍、２倍、１０倍、２０倍、６０倍、１２０倍と登録されている。倍率値１倍は所定時間０秒と対応付けられており、倍率値２倍は所定時間１秒と対応付けられており、倍率値１０倍は所定時間３秒と対応付けられており、倍率値２０倍は所定時間５秒と対応付けられており、倍率値６０倍は所定時間７秒と対応付けられており、倍率値１２０倍は所定時間９秒と対応付けられている。
【００７３】
又は、図１４に示すように、倍率値として、１０分、５分、１分、３０秒、１０秒、５秒と登録し、例えば、区間１０ｚに対して固定時間を対応付けるようにしてもよい。
【００７４】
倍率値１０分は所定時間０秒と対応付けられており、倍率値５分は所定時間１秒と対応付けられており、倍率値１分は所定時間３秒と対応付けられており、倍率値３０秒は所定時間５秒と対応付けられており、倍率値１０秒は所定時間７秒と対応付けられており、倍率値５秒は所定時間９秒と対応付けられている。
【００７５】
なお、図１３、１４とも、所定時間０秒に対応付けられている倍率値は初期値である。また、最も短い所定時間の値（すなわち０秒）と対応付けられている倍率値を下限と称し、最も長い所定時間の値（９秒）と対応付けられている倍率値を上限と称する場合がある。
【００７６】
図１３、１４何れでもよいが、図１３に示すように、コンテンツの尺の長さを相対的に拡大していく方法では、コンテンツの尺の長さが長くなるほど、軸を拡大するためにユーザーの長押し時間が長くなり、利便性が損なわれる。
【００７７】
このため、コンテンツの尺の長さが長い場合は、一目盛りの再生時間を固定長とする図１４のような倍率値の設定の方法の方が好ましい。これにより、ユーザーの長押し時間を低減することができ、利便性の向上に繋がるためである。
【００７８】
制御部３０は、画像表示装置１を統括して駆動制御するための制御部である。制御部３０は一又は複数のＣＰＵからなる。制御部３０は、ＲＯＭ２１又はＲＡＭ２２からプログラムを取得し、当該取得したプログラム等を実行することで、画像表示装置１の駆動を制御する。また、制御部３０はＲＯＭ２１から取得した情報を、適宜、ＲＡＭ２２に記憶させる。
【００７９】
制御部３０は、コンテンツ制御部３１を有している。
【００８０】
コンテンツ制御部３１はユーザーの要求に応じて、動画コンテンツや、静止画コンテンツ、又は音声コンテンツ等を再生したりするものである。
【００８１】
入力部３を通じて、制御部３０が、ユーザーからコンテンツの再生指示情報を取得すると、コンテンツ制御部３１は、当該取得した再生指示情報が示すコンテンツを再生するために、ＲＯＭ２１又はＲＡＭからコンテンツ再生用のプログラムを読み込み実行する。これにより、コンテンツ制御部３１は、動画コンテンツや、静止画コンテンツ、又は音声コンテンツ等、ユーザーの再生要求に応じて、さまざまなコンテンツを再生する。
【００８２】
コンテンツ制御部３１は、シークバー制御部３２を備えている。また、シークバー制御部３２は入力情報判定部３３と、倍率値変更部３４とを備えている。
【００８３】
シークバー制御部３２は、コンテンツ制御部３１がコンテンツを再生するに際し、このコンテンツの再生状態を表すシークバー１０や、アイコン１０ａ、コンテンツの先端値１１ｂ、及び終端値１１ｃ等を表示部２に表示させる。
【００８４】
シークバー制御部３２は、コンテンツ制御部３１がコンテンツの再生用プログラムをＲＯＭ２１又はＲＡＭ２２から読み込むと、再生しようとするコンテンツの総再生時間を示すコンテンツ総再生時間情報２２ａや、シークバー表示情報２２ｂを読み込む。そして、シークバー制御部３２は、ＲＡＭ２２から読み込んだコンテンツ総再生時間情報２２ａや、シークバー表示情報２２ｂに基づいて、シークバー１０や、アイコン１０ａ、コンテンツの先端値１１ｂ、及び終端値１１ｃ等を表示するための情報を表示部２に出力する。これにより表示部２は、シークバー１０や、アイコン１０ａ、コンテンツの先端値１１ｂ、及び終端値１１ｃ等を表示する。
【００８５】
入力情報判定部３３は、入力部３が検出した指（対象物）の位置がアイコン１０ａの表示位置であり、指の位置が所定時間固定されているか否かを判定するものである。
【００８６】
入力情報判定部３３は、ユーザーがアイコン１０ａを長押ししたか否かを、倍率値情報２２ｄに登録されている所定時間毎に判定したり、長押ししていた指を一定時間以上離したか否かを判定したりする。
【００８７】
入力情報判定部３３は、ユーザーがアイコン１０ａに指を接触させた旨の情報を入力部３を通じて取得し、当該位置が固定されている場合、当該入力情報判定部３３は、倍率値情報２２ｄに登録されている各所定時間に達したか否かを段階的に判定していくことで、各段階毎に、ユーザーがアイコン１０ａを長押ししているか否かを判定していく。
【００８８】
倍率値変更部３４は、入力情報判定部３３によってユーザーが長押ししていると判定された所定時間と対応付けられている倍率値を、倍率値情報２２ｄから取得する。そして、倍率値変更部３４が取得した倍率値で、シークバー制御部３２は、再生しているコンテンツの時間軸を拡大してシークバー１０に割り当て、表示部２に表示させる。
【００８９】
（シークバー１０の操作方法及び表示画面）
次に、シークバー１０の操作方法及び表示画面について説明する。
【００９０】
図３（ａ）は、アイコン１０ａが１秒長押しされる前のシークバー１０を表し、（ｂ）はアイコン１０ａが１秒長押しされた後のシークバー１０を表している。
【００９１】
図４（ａ）はアイコン１０ａが３秒長押しされる前のシークバー１０を表し、（ｂ）はアイコン１０ａが３秒長押しされた後のシークバー１０を表している。
【００９２】
一例として、総再生時間が６０分のコンテンツを、画像表示装置１が再生する場合について説明する。シークバー１０は６分割された目盛りｚが付されており、初期値として、一目盛りの区間１０ｚに対応付けられているコンテンツの再生時間は１０分とする。
【００９３】
また、ここでは、ＲＡＭ２２には、図１４に示した倍率値情報２２ｄが記憶されているものとする。
【００９４】
すなわち、ユーザーのアイコン１０ａの長押し時間に対応して、区間１０ｚは、段階的に固定時間長で、割り当てられる再生時間が短くなっていくものとする。
【００９５】
コンテンツ制御部３１は、入力部３から入力されるユーザーからのコンテンツ再生指示情報を取得すると、例えば、総再生時間が６０分のコンテンツを再生する。
【００９６】
まず、１段階、コンテンツの再生時間軸の倍率値を変更する場合について説明する。
【００９７】
図３（ａ）に示すように、シークバー制御部３２は、表示部２に、シークバー１０の左端１０ｂの近傍に、現在再生しているコンテンツの先端値１１ｂとしての時間「０：００」を表示させ、シークバー１０の右端１０ｃの近傍には、コンテンツの終端値１１ｃとしての時間「６０：００」を表示させる。
【００９８】
そして、ユーザーは、シークバー１０の粒度を小さくするために、アイコン１０ａを長押しする。一例として、ユーザーは１秒アイコン１０ａを長押しする。すると、入力情報判定部３３は、入力部３を通じて入力されてくる情報により、ユーザーによってアイコン１０ａが１秒長押しされたことを検出する。
【００９９】
すると、倍率値変更部３４が、ＲＡＭ２２の倍率値情報２２ｄを参照し、所定時間１秒に対応付けられている倍率値５分を取得する。
【０１００】
そして、この結果、図３（ｂ）に示すように、シークバー制御部３２は、区間１０ｚの割り当て再生時間を１０分から５分に変更し、シークバー１０、先端値１１ｂ、及び終端値１１ｃの表示を、表示部２に変更して表示させる。
【０１０１】
表示部２は、シークバー１０の粒度を小さくした後の左端１０ｂの近傍には、コンテンツの先端値１１ｂとしての時間「０：００」を表示し、右端１０ｃの近傍にはコンテンツの総再生時間の中央値である時間「３０：００」を表示する。
【０１０２】
このように、シークバー制御部３２は、シークバー１０の左端１０ｂから右端１０ｃまでで、６０分のコンテンツ再生時間の長さを割り当てていたところ、ユーザーの１秒の長押しを検出することで、同じ長さのシークバー１０の左端１０ｂから右端１０ｃまでで、半分の３０分のコンテンツ再生時間の長さを割り当てて表示部２に表示させる。このようにして、シークバー制御部３２は、シークバー１０の粒度を小さくする。すなわち、コンテンツの再生時間軸を拡大して表示させる。
【０１０３】
ここで、シークバー制御部３２は、コンテンツの再生時間軸を拡大又は縮小してシークバー１０に割り当てる際、時間軸の拡大又は縮小前後を通じて、シークバー１０上のアイコン１０ａの位置が動かないように、アイコン１０ａの位置を原点として、シークバー１０に時間軸を割り当てることが好ましい。これにより、時間軸の拡大又は縮小前後でアイコン１０ａの位置が移動せず、ユーザビリティ低下を防止することができるためである。
【０１０４】
そして、シークバー制御部３２は、ユーザーがアイコン１０ａから指を所定時間（例えば１秒）離したことを検出すると、シークバー１０の区間１０ｚが示すコンテンツ再生時間の割り当てを、初期値である１０分に戻して、シークバー１０、先端値１１ｂ、及び終端値１１ｃの表示を、表示部２に変更して表示させる。
【０１０５】
すなわち、表示部２は、現在再生しているコンテンツの先端値１１ｂとしての時間「０：００」を表示させ、シークバー１０の右端１０ｃの近傍には、コンテンツの終端値１１ｃとしての時間「６０：００」を表示させる。
【０１０６】
このように、画像表示装置１では、入力情報判定部３３が、入力部３が検出した指の位置がアイコン１０ａの表示位置であり、指の位置が所定時間固定されている（すなわちユーザーがアイコン１０ａを長押ししていると判定する）と判定すると、シークバー制御部３２が、所定時間（例えば１秒）と対応付けて登録されている倍率値（例えば５分）となるように、コンテンツの時間軸を拡大してシークバー１０の各区間１０ｚに割り当てる。
【０１０７】
このため、ユーザーは、時間軸の拡大前に、距離が長い移動を素早くすることができる。また、ユーザーが指をアイコン１０ａに接触させ、所定時間（例えば１秒）、その接触させた位置を固定させるだけで、シークバー１０に割り当てられる、コンテンツの時間軸を拡大させることができる。
【０１０８】
これにより、ユーザーに、再生位置の細かい設定を行わせることができる。この結果、画像表示装置１によると、総再生時間が長いコンテンツであっても、簡単な操作で、コンテンツの再生位置を細かく設定することができるため、利便性の向上効果を得ることができる。
【０１０９】
次に、２段階、コンテンツの再生時間軸の倍率値を変更する場合について説明する。
【０１１０】
図４（ａ）に示すように、シークバー制御部３２は、表示部２に、シークバー１０の左端１０ｂの近傍に、現在再生しているコンテンツの先端値１１ｂとしての時間「０：００」を表示させ、シークバー１０の右端１０ｃの近傍には、コンテンツの終端値１１ｃとしての時間「６０：００」を表示させる。
【０１１１】
そして、図４（ａ）（ｂ）に示すように、ユーザーは、シークバー１０の粒度を、元の状態から小さくするために、アイコン１０ａを、ユーザーは３秒アイコン１０ａを長押しするとする。
【０１１２】
すると、長押し時間が１秒経過後、まず、図３（ｂ）に示したように、所定時間１秒に対応付けらえている倍率値５分となるように、シークバー制御部３２は、区間１０ｚに５分の再生時間を割り当てて、割り当て後のシークバー１０、先端値１１ｂ、及び終端値１１ｃの表示を、表示部２に変更して表示させる。
【０１１３】
そして、長押し時間が３秒経過後、入力情報判定部３３は、入力部３を通じて入力されてくる情報により、ユーザーによってアイコン１０ａが３秒長押しされたことを検出する。
【０１１４】
すると、倍率値変更部３４が、ＲＡＭ２２の倍率値情報２２ｄを参照し、所定時間３秒に対応付けられている倍率値１分を取得する。
【０１１５】
そして、この結果、図４（ｂ）に示すように、シークバー制御部３２は、区間１０ｚの割り当て再生時間を５分から１分に変更し、シークバー１０、先端値１１ｂ、及び終端値１１ｃの表示を、表示部２に変更して表示させる。
【０１１６】
表示部２は、シークバー１０の粒度を小さくした後の左端１０ｂの近傍には、コンテンツの先端値１１ｂとしての時間「０：００」を表示し、右端１０ｃの近傍にはコンテンツの総再生時間の１０分の１の値である「６：００」を表示する。
【０１１７】
このように、シークバー制御部３２は、初期状態で、シークバー１０の左端１０ｂから右端１０ｃまでで、６０分のコンテンツ再生時間の長さを割り当てていたところ、ユーザーの３秒の長押しを検出することで、同じ長さのシークバー１０の左端１０ｂから右端１０ｃまでで、１０分の１である６分のコンテンツ再生時間の長さを割り当てて表示部２に表示させる。このようにして、シークバー制御部３２は、シークバー１０の粒度を小さくする。すなわち、コンテンツの再生時間軸を拡大して表示させる。
【０１１８】
そして、シークバー制御部３２は、ユーザーがアイコン１０ａから指を所定時間（例えば１秒）離したことを検出すると、シークバー１０の区間１０ｚが示すコンテンツ再生時間の割り当てを、まず、図３（ｂ）に示す５分に戻し、シークバー１０、先端値１１ｂ、及び終端値１１ｃの表示を、表示部２に変更して表示させる。
【０１１９】
そして、シークバー制御部３２は、さらに、ユーザーがアイコン１０ａから指を所定時間（例えば１秒）離したことを検出すると、シークバー１０の区間１０ｚが示すコンテンツ再生時間の割り当てを、初期状態である１０分に戻して、シークバー１０、先端値１１ｂ、及び終端値１１ｃの表示を、表示部２に変更して表示させる。
【０１２０】
すなわち、表示部２は、現在再生しているコンテンツの先端値１１ｂとしての時間「０：００」を表示させ、シークバー１０の右端１０ｃの近傍には、コンテンツの終端値１１ｃとしての時間「６０：００」を表示させる。
【０１２１】
コンテンツの再生時間の時間軸を、初期状態から３段階以上変更する場合も同様である。倍率値情報２２ｄに登録されている所定時間と、当該所定時間と対応付けて登録されている倍率値の数（段数）だけ、コンテンツの再生時間軸を拡大して、シークバー１０に割り当てて表示することが可能である。
【０１２２】
このように、画像表示装置１では、入力情報判定部３３は、倍率値情報２２ｄに登録されている時間毎に、アイコン１０ａが長押しされているか否かを判定し、シークバー制御部３２は、アイコン１０ａが長押しされていると入力情報判定部３３が判定した所定時間毎に、その所定時間のそれぞれと対応付けられている倍率値をＲＡＭ２２の倍率値情報２２ｄより取得する。そして、シークバー制御部３２は、その取得した倍率値毎に、コンテンツの時間軸を拡大してシークバー１０に割り当てていく。
【０１２３】
これにより、ユーザーは、アイコン１０ａの長押し時間を変更するだけで、コンテンツの時間軸の、シークバー１０への割り当てを段階的に拡大させることができる。このため、簡単な操作で、コンテンツの再生位置の素早い移動と、細かい位置の設定とを切替えることができる。この結果、利便性を向上させることができる。
【０１２４】
具体的には、シークバー制御部３２は、倍率値情報２２ｄを参照し、ユーザーによるアイコン１０ａの長押し時間が５秒であると入力情報判定部３３が判定すると、シークバー制御部３２は、区間１０ｚに再生時間３０秒を割り当て、ユーザーによるアイコン１０ａの長押し時間が７秒であると入力情報判定部３３が判定すると、シークバー制御部３２は、区間１０ｚに再生時間１０秒を割り当て、ユーザーによるアイコン１０ａの長押し時間が９秒であると入力情報判定部３３が判定すると、シークバー制御部３２は、区間１０ｚに再生時間５秒を割り当てる。そして、それぞれ、表示部２に、シークバー１０、先端値１１ｂ、終端値１１ｃを表示させる。
【０１２５】
このように、ユーザーのアイコン１０ａの長押し時間長さに対応して、シークバー制御部３２は、シークバー１０の粒度を多段階で小さくしていく、すなわち、コンテンツ再生時間の時間軸を、多段階で拡大して割り当てていく。
【０１２６】
これにより、ユーザーは、アイコン１０ａへの指の接触時間を変更するだけで、シークバー１０の粒度を変更することができるため、コンテンツの再生位置を、素早く、離れたの置へ移動させることができると共に、細かい位置設定が可能となる。さらに、コンテンツの再生位置を、離れたところに素早く移動させる場合と、細かく位置設定する場合とで、ユーザーの操作は、アイコン１０ａへの指の接触時間を変更するだけなので、操作性を向上させることができ、ユーザーの利便性が高い画像表示装置１を得ることができる。
【０１２７】
また、逆に、シークバー制御部３２が、コンテンツの時間軸を拡大してシークバー１０に割り当てている際、ユーザーがアイコン１０ａから指を離し、長押しが解除されことで、入力部３が、ユーザーが長押ししている旨の情報を一定時間（例えば、１秒）検出しない場合、シークバー制御部３２が、拡大して割り当てていたコンテンツの時間軸を、一定時間（例えば、１秒）経過毎に縮小して、シークバー１０に割り当てていく。
【０１２８】
これにより、ユーザーは、指の長押しを解除する時間を変更するだけで、コンテンツの時間軸の、シークバー１０への割り当てを段階的に縮小させることができる。このため、簡単な操作で、コンテンツの再生位置の素早い移動と、細かい位置の設定とを切替えることができ、利便性が高い位置入力装置を得ることができる。
【０１２９】
または、段階的に縮小させるのではなく、シークバー制御部３２が、コンテンツの時間軸を拡大してシークバー１０に割り当てている際、ユーザーがアイコン１０ａから指を離し、長押しが解除されことで、入力部３が、ユーザーが長押ししている旨の情報を一定時間（例えば、１秒）検出しない場合、シークバー制御部３２が、拡大して割り当てていたコンテンツの時間軸を、一気に所持状態に縮小して、シークバー１０に割り当ててもよい。
【０１３０】
（シークバー１０の粒度を認識させる構成について）
多段階で、シークバー１０への再生時間の割り当てを変更すると、ユーザーは、現在の段階が把握しにくくなる場合がある。
【０１３１】
このため、図５〜図７に示すように、シークバー１０に割り当てられたコンテンツ再生時間の時間軸の拡大倍率に応じて、シークバー１０の表示態様を変更したり、アイコン１０ａを移動させた際の音を変更させたりしてもよい。
【０１３２】
図５は、粒度に応じて濃淡が異なるシークバー１０を表す図である。
【０１３３】
図５の（ａ）〜（ｆ）では、段階が上がるほど（粒度が小さくなるほど）シークバー１０の色の濃度を薄くしている。
【０１３４】
図５の（ａ）は通常の表示状態であるシークバー１０の様子を表している。図５の（ａ）のシークバー１０は区間１０ｚ当たりのコンテンツの再生時間長さは１０分であり、左端１０ｂ近傍に時間「０：００」を表示し右端１０ｃ近傍に時間「６０：００」を表示している。
【０１３５】
図５の（ｂ）は、通常の表示状態から１段階、粒度を小さくした表示状態のシークバー１０の様子を表している。図５の（ｂ）のシークバー１０は区間１０ｚ当たりのコンテンツの再生時間長さは５分であり、左端１０ｂ近傍に時間「０：００」を表示し右端１０ｃ近傍に時間「３０：００」を表示している。図５の（ｂ）に示すシークバー１０の色の濃度は、図５の（ａ）に示すシークバー１０の色の濃度と比べて薄くなっている。
【０１３６】
図５の（ｃ）は、通常の表示状態から２段階、粒度を小さくした表示状態のシークバー１０の様子を表している。図５の（ｃ）のシークバー１０は区間１０ｚ当たりのコンテンツの再生時間長さは１分であり、左端１０ｂ近傍に時間「０：００」を表示し右端１０ｃ近傍に時間「６：００」を表示している。図５の（ｃ）に示すシークバー１０の色の濃度は、図５の（ｂ）に示すシークバー１０の色の濃度と比べてさらに薄くなっている。
【０１３７】
図５の（ｄ）は、通常の表示状態から３段階、粒度を小さくした表示状態のシークバー１０の様子を表している。図５の（ｄ）のシークバー１０は区間１０ｚ当たりのコンテンツの再生時間長さは３０秒であり、左端１０ｂ近傍に時間「０：００」を表示し右端１０ｃ近傍に時間「３：００」を表示している。図５の（ｄ）に示すシークバー１０の色の濃度は、図５の（ｃ）に示すシークバー１０の色の濃度と比べてさらに薄くなっている。
【０１３８】
図５の（ｅ）は、通常の表示状態から４段階、粒度を小さくした表示状態のシークバー１０の様子を表している。図５の（ｅ）のシークバー１０は区間１０ｚ当たりのコンテンツの再生時間長さは１０秒であり、左端１０ｂ近傍に時間「０：００」を表示し右端１０ｃ近傍に時間「１：００」を表示している。図５の（ｅ）に示すシークバー１０の色の濃度は、図５の（ｄ）に示すシークバー１０の色の濃度と比べてさらに薄くなっている。
【０１３９】
図５の（ｆ）は、通常の表示状態から５段階、粒度を小さくした表示状態のシークバー１０の様子を表している。図５の（ｆ）のシークバー１０は区間１０ｚ当たりのコンテンツの再生時間長さは５秒であり、左端１０ｂ近傍に時間「０：００」を表示し右端１０ｃ近傍に時間「０：３０」を表示している。図５の（ｆ）に示すシークバー１０の色の濃度は、図５の（ｅ）に示すシークバー１０の色の濃度と比べてさらに薄くなっている。
【０１４０】
このように、シークバー制御部３２は、シークバー１０の色の濃度を、粒度（コンテンツの再生時間軸の拡大）に応じて変換して表示部２に表示させることで、ユーザーは、現在、シークバー１０の粒度がどの程度となっているか、すなわち、拡大率の段階を、視覚的に把握することができる。このため、ユーザーの操作性を向上させることができる。
【０１４１】
図６は、シークバー１０の粒度を小さくした場合に、コンテンツの総再生時間内をスライドさせる操作を説明する図である。
【０１４２】
シークバー１０の区間１０ｚ当たりの粒度を小さくした結果、再生しているコンテンツの尺全てが、シークバー１０内に収まらなくなる。このため、シークバー制御部３２は、シークバー１０の近傍に以下のようなアイコンを表示部２に表示させ、シークバー１０を操作させるようにしてもよい。
【０１４３】
また、シークバー１０の濃淡ではなく、段階に応じて、シークバー制御部３２は、シークバー１０の色を変更してもよい。
【０１４４】
図６は、粒度に応じて色が異なるシークバー１０を表す図である。
【０１４５】
図６の（ａ）は区間１０ｚ当たりの再生時間が１０分である、通常の表示状態であるシークバー１０の様子を表している。図６の（ａ）に示すように、シークバー制御部３２は、初期状態ではシークバー１０を赤色で表示させる。
【０１４６】
図６の（ｂ）は区間１０ｚ当たりの再生時間が５分である、通常の表示状態から１段階、粒度を小さくした表示状態のシークバー１０の様子を表している。図６の（ｂ）に示すように、シークバー制御部３２は、１段階粒度を小さくしたシークバー１０を橙色で表示させる。
【０１４７】
図６の（ｃ）は区間１０ｚ当たりの再生時間が１分である、通常の表示状態から２段階、粒度を小さくした表示状態のシークバー１０の様子を表している。図６の（ｃ）に示すように、シークバー制御部３２は、２段階粒度を小さくしたシークバー１０を黄色で表示させる。
【０１４８】
図６の（ｄ）は区間１０ｚ当たりの再生時間が３０秒である、通常の表示状態から３段階、粒度を小さくした表示状態のシークバー１０の様子を表している。図６の（ｄ）に示すように、シークバー制御部３２は、３段階粒度を小さくしたシークバー１０を緑色で表示させる。
【０１４９】
図６の（ｅ）は区間１０ｚ当たりの再生時間が１０秒である、通常の表示状態から４段階、粒度を小さくした表示状態のシークバー１０の様子を表している。図６の（ｅ）に示すように、シークバー制御部３２は、４段階粒度を小さくしたシークバー１０を水色で表示させる。
【０１５０】
図６の（ｆ）は区間１０ｚ当たりの再生時間が５秒である、通常の表示状態から５段階、粒度を小さくした表示状態のシークバー１０の様子を表している。図６の（ｆ）に示すように、シークバー制御部３２は、５段階粒度を小さくしたシークバー１０を青色で表示させる。
【０１５１】
または、シークバー１０の濃淡や色の変更ではなく、段階に応じて、シークバー制御部３２は、シークバー１０の太さを変更してもよい。
【０１５２】
図７は、粒度に応じて色が異なるシークバー１０を表す図である。
【０１５３】
図７の（ａ）は区間１０ｚ当たりの再生時間が１０分である、通常の表示状態であるシークバー１０の様子を表している。図７の（ａ）に示すように、シークバー制御部３２は、初期状態ではシークバー１０を最も幅を細く表示させる。
【０１５４】
図７の（ｂ）は区間１０ｚ当たりの再生時間が５分である、通常の表示状態から１段階、粒度を小さくした表示状態のシークバー１０の様子を表している。図７の（ｂ）に示すように、シークバー制御部３２は、１段階粒度を小さくしたシークバー１０を、図７の（ａ）に示すシークバー１０より幅を広くして表示させる。
【０１５５】
図７の（ｃ）は区間１０ｚ当たりの再生時間が１分である、通常の表示状態から２段階、粒度を小さくした表示状態のシークバー１０の様子を表している。図７の（ｃ）に示すように、シークバー制御部３２は、２段階粒度を小さくしたシークバー１０を、図７の（ｂ）に示すシークバー１０より幅を広くして表示させる。
【０１５６】
図７の（ｄ）は区間１０ｚ当たりの再生時間が３０秒である、通常の表示状態から３段階、粒度を小さくした表示状態のシークバー１０の様子を表している。図７の（ｄ）に示すように、シークバー制御部３２は、３段階粒度を小さくしたシークバー１０を、図７の（ｃ）に示すシークバー１０より幅を広くして表示させる。
【０１５７】
図７の（ｅ）は区間１０ｚ当たりの再生時間が１０秒である、通常の表示状態から４段階、粒度を小さくした表示状態のシークバー１０の様子を表している。図７の（ｅ）に示すように、シークバー制御部３２は、４段階粒度を小さくしたシークバー１０を、図７の（ｄ）に示すシークバー１０より幅を広くして表示させる。
【０１５８】
図７の（ｆ）は区間１０ｚ当たりの再生時間が５秒である、通常の表示状態から５段階、粒度を小さくした表示状態のシークバー１０の様子を表している。図７の（ｆ）に示すように、シークバー制御部３２は、５段階粒度を小さくしたシークバー１０を、図７の（ｅ）に示すシークバー１０より幅を広くして表示させる。
【０１５９】
図５〜７を用いて説明したように、シークバー１０の粒度に応じて、シークバー１０の表示態様を変更することで、ユーザーは視覚的に、現在設定されている粒度を認識することができるため、利便性が高い画像表示装置１を得ることができる。
【０１６０】
図８は、粒度に応じてアイコン１０ａを移動する際の音が異なるシークバー１０の構成を表している。
【０１６１】
図８の（ａ）は区間１０ｚ当たりの再生時間が１０分である、通常の表示状態であるシークバー１０の様子を表している。図８の（ａ）に示すように、シークバー制御部３２は、初期状態では、アイコン１０ａが移動された場合、「カチッ」という音をスピーカー４から出力させる。
【０１６２】
図８の（ｂ）は区間１０ｚ当たりの再生時間が１０秒である、通常の表示状態から４段階、粒度を小さくした表示状態のシークバー１０の様子を表している。図８の（ｂ）に示すように、シークバー制御部３２は、４段階粒度を小さくしたシークバー１０に配されたアイコン１０ａが移動された場合、「ピッ」という音をスピーカー４から出力させる。
【０１６３】
また、他の段階でも同様に、シークバー制御部３２は、アイコン１０ａが移動された場合、各段階毎に、異なる音をスピーカー４から出力させる。
【０１６４】
このように、シークバー制御部３２は、シークバー１０上の位置をアイコン１０ａが移動させる際に出力させる移動音を、粒度毎に異ならせてスピーカー４から出力させることで、ユーザーは聴覚的に、現在設定されている粒度を認識することができる。このため、利便性が高い画像表示装置１を得ることができる。
【０１６５】
（シークバー１０への割り当て時間をスライドさせる構成）
図９は、コンテンツの総再生時間内をスライドさせて、シークバー１０への割り当て時間を変更する操作を説明する図である。
【０１６６】
シークバーの一目盛り当たりの粒度を小さくした結果、コンテンツの尺がシークバー１０に収まらなくなる。この場合、シークバー１０の左端１０ｂ、右端１０ｃ近傍に、左送り用のアイコンや、右送り用のアイコンを配して表示してもよい。
【０１６７】
図９の（ａ）に示すように、まず、画像表示装置１は、総再生時間が６０分であるコンテンツを再生しているとすると、画像表示装置１は、図９の（ａ）に示すように、シークバー１０の左端１０ｂの近傍にはコンテンツの先端値１１ｂとしての時間「０：００」を表示し、シークバー１０の右端１０ｃにはコンテンツの終端値１１ｃとしての時間「６０：００」を表示する。
【０１６８】
次に、ユーザーは、シークバー１０の粒度を小さくするために、時間「３０：００」の位置にあるアイコン１０ａを指で長押しする。一例として、ユーザーは、アイコン１０ａを５秒間長押ししたとする。
【０１６９】
すると、図９の（ｂ）に示すように、入力情報判定部３３は、ユーザーがアイコン１０ａを５秒長押ししたと判定し、シークバー制御部３２は、コンテンツ総再生時間のうち、アイコン１０ａが示す位置を原点として含み、１分の再生時間を、時間軸の拡大前後で、アイコン１０ａのシークバー１０上の位置が同じとなるように、シークバー１０の左端１０ｂの時間及び右端１０ｃの時間を割り当てる。ここでは、シークバー制御部３２は、シークバー１０の左端１０ｂに「２９：３０」の時間位置を割り当て、シークバー１０の右端１０ｃに「３０：３０」の時間位置を割り当てる。そして、シークバー制御部３２は、シークバー１０の左端１０ｂ近傍には「２９：３０」を表示させ、右端１０ｃには「３０：３０」を表示させる。
【０１７０】
さらに、シークバー制御部３２は、シークバー１０の左端１０ｂよりさらに左側である、左端１０ｂの近傍に、左送り用アイコン１０ｄを表示部２に表示させ、また、シークバー１０の右端１０ｃよりさらに右側である、右端１０ｃの近傍に、右送り用アイコン１０ｅを表示部２に表示させる。
【０１７１】
このように、時間軸の拡大前後で、アイコン１０ａのシークバー１０上の位置が同じとなるように、シークバー制御部３２は時間軸を割り当てるため、時間軸の拡大前後でアイコン位置が変わる場合のようにユーザーに指を移動させる必要が無く、ユーザビリティが高い。
【０１７２】
次に、図９の（ｃ）に示すように、入力部３を通して、右送り用アイコン１０ｅに指が接触した旨の情報をコンテンツ制御部３１が取得すると、シークバー制御部３２は、アイコン１０ａをシークバー１０の右端１０ｃに移動させて表示部２に表示させると共に、コンテンツ制御部３１は、アイコン１０ａの位置が示す「３０：３０」の時間位置にスキップして動画を表示させる。
【０１７３】
そして、図９の（ｄ）に示すように、さらに、もう一度、入力部３を通して、右送り用アイコン１０ｅに指が接触した旨の情報をコンテンツ制御部３１が取得すると、シークバー制御部３２は、現在シークバー１０に割り当てられているコンテンツ再生時間のうち、次の１分間の時間を割り当てる。そして、シークバー制御部３２は、シークバー１０の左端１０ｂの近傍には「３０：３０」を表示させ、シークバー１０の右端１０ｃ近傍には「３１：３０」を表示させると共に、コンテンツ制御部３１は、アイコン１０ａの位置が示す「３１：３０」の時間位置にスキップして動画を表示させる。
【０１７４】
そして、図９の（ｅ）に示すように、ユーザーが右送り用アイコン１０ｅに指を接触させ続けることで、コンテンツ再生時間の終端まで、シークバー１０への割り当て時間がスライドすると、シークバー制御部３２は、右送り用アイコン１０ｅの表示を消し、右端１０ｃの近傍に、コンテンツの終端値１１ｃである「６０：００」を表示させる。
【０１７５】
このように、コンテンツ総再生時間の終端値１１ｃまで、時間軸をスライドさせた場合、シークバー制御部３２は、右送り用アイコン１０ｅの表示を消させることで、ユーザーは、コンテンツ総再生時間の終端値１１ｃまで、シークバー１０への割り当て時間がスライドしたことを、視覚的に認識することができる。
【０１７６】
なお、左送り用アイコン１０ｄに、ユーザーが指を接触させた場合も同様に、当該接触の検出により、コンテンツ制御部３１は、コンテンツ再生時間のうち、現在シークバー１０に割り当てられている時間より前のコンテンツ再生時間を、順次割り当て、左端１０ｂ近傍、及び右端１０ｃ近傍に、それぞれの端部が示す再生時間位置を表示させる。
【０１７７】
そして、コンテンツ総再生時間の先端値１１ｂまで、時間軸をスライドさせた場合、シークバー制御部３２は、左送り用アイコン１０ｄの表示を消させることで、ユーザーは、コンテンツ総再生時間の先端値１１ｂまで、シークバー１０への割り当て時間がスライドしたことを、視覚的に認識することができる。
【０１７８】
次に、図１０を用いて、現在の再生位置から離れた再生位置を細かく設定する方法について説明する。
【０１７９】
図１０は、現在の再生位置から離れた再生位置を細かく設定する操作を説明する図である。
【０１８０】
図１０の（ａ）に示すように、シークバー１０に総再生時間が６０分の時間長さが割り当てら得ており、アイコン１０ａが「５：００」の位置にあるとする。
【０１８１】
このときに、ユーザーは「４５：３０」の位置にアイコン１０ａを移動させたい場合、図１０の（ｂ）に示すように、「５：００」の位置にあったアイコン１０ａを、「４５：３０」近傍の位置、例えば「４５：４０」の位置までシークバー１０上をスライドさせる。
【０１８２】
そして、図１０の（ｃ）に示すように、「４５：４０」の位置にスライドさせたアイコン１０ａをその場で、３秒長押しする。すると、シークバー制御部３２は、シークバー１０に、アイコン１０ａの「４５：４０」の位置を原点として、アイコン１０ａの位置が同じとなるように、かつ、割り当てる時間長さが１分となるように、シークバー１０の左端１０ｂに時間「４５：００」を割り当て、右端１０ｃに時間「４６：００」を割り当てる。
【０１８３】
そして、シークバー制御部３２は、シークバー１０の左端１０ｂの近傍に「４５：００」を表示させ、右端１０ｃ近傍に「４６：００」を表示させる。
【０１８４】
そして、ユーザーにより、アイコン１０ａは「４５：３０」の位置にスライドさせる。このようにして、ユーザーに細かい位置設定をさせることができる。
【０１８５】
このように、ユーザーは、アイコン１０ａを長押しするだけで、シークバー１０の時間
軸が拡大して表示されるので、簡単な操作でシークバー１０の粒度を変更することができ、アイコン１０ａの距離の長い移動をさせたり、細かい位置設定をしたりすることができる。
【０１８６】
このように、シークバー制御部３２は、コンテンツの時間軸のうち、シークバー１０に現在割り当てられている再生時間帯と隣接する再生時間帯を、倍率値一定のまま、シークバー１０に割り当てるための左送り用アイコン１０ｄ・右送り用アイコン１０ｅを、表示部２に表示させる。これにより、現在の再生位置から離れた再生位置への素早い移動と、細かい位置の設定とを両立させることができる。
【０１８７】
また、時間軸を拡大縮小処理する際、シークバー制御部３２は、シークバー１０に割り当てられる時間軸の拡大前後でアイコン１０ａの位置が動かないように、拡大縮小処理を実行するときのアイコン１０ａの時間位置と、拡大縮小処理後の時間軸の粒度とから、シークバー１０の左端１０ｂ及び右端１０ｃのそれぞれに割り当てるコンテンツ再生時間の位置を割り当てる。このため、拡大縮小前後でアイコン１０ａの位置が移動せず、ユーザビリティ低下を防止することができる。
【０１８８】
図１１は、シークバーの近傍に配された倍率固定用アイコンを配している様子を表す図である。
【０１８９】
また、図１１に示すように、シークバー制御部３２は、シークバー１０の近傍、例えば、右送り用アイコン１０ｅの更に右側に、倍率値を、シークバー１０に現在割り当てられているコンテンツの時間軸の倍率値に固定するための倍率固定用アイコン１０ｆを表示部２に表示させてもよい。
【０１９０】
入力部３を通じて、倍率固定用アイコン１０ｆにユーザーの指が接触した旨の情報をシークバー制御部３２が検出すると、次に、倍率固定用アイコン１０ｆにユーザーの指が接触した旨の情報を取得するまで、シークバー制御部３２は、現在シークバー１０に割り当てら得ている粒度で時間軸を固定し、アイコン１０ａが長押しされても、シークバー１０の粒度を変更せず固定する。
【０１９１】
これにより、シークバー１０に割り当てられている時間軸が、誤操作などにより、ユーザーが意図しない倍率値に変更されることを防止することができる。このため、操作性を向上させることができる。
【０１９２】
（画像表示装置１の処理の説明）
次に、図１及び図１２を用いて、画像表示装置１の処理の流れについて説明する。図１２は、画像表示装置１の処理の流れを表すフローチャートである。
【０１９３】
コンテンツ制御部３１は、入力部３を通じて入力される、ユーザーからのコンテンツ再生指示情報を取得すると、ＲＯＭ２１からコンテンツ再生用のプログラムを読み込み、当該プログラムを実行すると共に、シークバー１０の設定に必要な情報であるシークバー表示情報２２ｂをＲＡＭ２２に記憶する。このようにして、コンテンツ制御部３１は、ユーザーに再生することを指示されたコンテンツを再生する（ステップＳ１０１）。
【０１９４】
また、シークバー制御部３２は、倍率値を初期値である１倍として、再生するコンテンツの総再生時間をシークバー１０の長さに割り当てる。そして、コンテンツ制御部３１は、表示部２に、再生しているコンテンツの画像を表示させると共に、シークバー制御部３２は、表示部２に、シークバー１０や、アイコン１０ａ、コンテンツの先端値１１ｂ、及び終端値１１ｃ等を表示させる（ステップＳ１０２）。
【０１９５】
一例として、シークバー制御部３２は、総再生時間６０分を、シークバー１０に割り当てて、シークバー１０及びアイコン１０ａを表示部２に表示させる。また、シークバー制御部３２は、表示部２に、シークバー１０の左端１０ｂの近傍に先端値１１１ｂとして「０：００」、シークバー１０の右端１０ｃの近傍に終端値１１ｃとして「６０：００」を表示させる。
【０１９６】
次に、ユーザーがアイコン１０ａに指を接触させると、入力部３を通じて、ユーザーがアイコン１０ａに指を接触させている旨の情報をシークバー制御部３２が取得する（ステップＳ１０３）。
【０１９７】
そして、入力情報判定部３３は、ユーザーがアイコン１０ａを長押ししているか否かを判定する。すなわち、入力情報判定部３３は、入力部３に接触しているユーザーの指の位置（座標）が固定されたまま移動しない場合、入力情報判定部３３は、倍率値情報２２ｄに登録されている最も値が小さい所定時間を取得する（ステップＳ１０４）。
【０１９８】
そして、入力情報判定部３３は、ユーザーがアイコン１０ａに指を接触させてからの経過時間が、当該取得した所定時間を経過したか否かを判定する（ステップ１０５）。
【０１９９】
入力情報判定部３３は、ユーザーがアイコン１０ａに指を接触させてからの経過時間が、当該取得した所定時間を経過していないと判定すると（ステップＳ１０５のＮＯ）、ステップＳ１０３に戻る。
【０２００】
また、入力情報判定部３３は、ユーザーが長押ししていると判定すると、すなわち、ユーザーがアイコン１０ａに指を接触させてからの経過時間が、入力情報判定部３３が取得した所定時間を経過したと判定すると（ステップＳ１０５のＹＥＳ）、倍率値変更部３４は、入力情報判定部３３が経過したと判定した所定時間と対応付けて倍率値情報２２ｄに登録されている倍率値を取得する（ステップＳ１０６）。
【０２０１】
そして、シークバー制御部３２は、コンテンツ再生位置情報２２ｃを参照し、現在の再生位置（アイコン１０ａの位置）を原点として、シークバー１０上のアイコン１０ａの位置が同じとなるように、倍率値変更部３４が取得した倍率値で、再生しているコンテンツの時間軸を拡大して、シークバー１０に割り当てる。そしてシークバー制御部３２は、シークバー制御部３２は、時間軸拡大後のシークバー１０、先端値１１ｂ、終端値１１ｃを、表示部２に表示させる（ステップＳ１０７）。
【０２０２】
次に、入力情報判定部３３は、アイコン１０ａからユーザーの指が離れたか否かを判定する（ステップＳ１０８）。
【０２０３】
入力情報判定部３３は、アイコン１０ａからユーザーの指が離れていないと判定すると（ステップＳ１０８のＮＯ）、入力情報判定部３３は、倍率値情報２２ｄから取得した所定時間より値が大きい所定時間が登録されているか否かを判定する。すなわち、入力情報判定部３３は、先程、倍率値情報２２ｄから取得した所定時間が、倍率値情報２２ｄに登録されている所定時間の上限であったか否かを判定する（ステップＳ１０９）。
【０２０４】
そして、入力情報判定部３３が倍率値情報２２ｄから取得した所定時間より値が大きい所定時間が登録されている場合（ステップＳ１０９のＮＯ）、入力情報判定部３３は、先程、倍率値情報２２ｄから取得した所定時間の次に値が大きい所定時間を、倍率値情報２２ｄから取得する（ステップＳ１１０）。
【０２０５】
そして、入力情報判定部３３は、ユーザーがアイコン１０ａに指を接触させてからの経過時間が、当該取得した所定時間を経過したか否かを判定する。すなわち、ステップＳ１０５へ戻る。
【０２０６】
ステップＳ１０９で、入力情報判定部３３が倍率値情報２２ｄから取得した所定時間より値が大きい所定時間が登録されていない場合、すなわち、入力情報判定部３３が倍率値情報２２ｄから取得した所定時間が上限であった場合（ステップＳ１０９のＹＥＳ）、入力情報判定部３３は、アイコン１０ａからユーザーの指が離れたか否かを判定する。すなわちステップＳ１０８へ戻る。
【０２０７】
ステップＳ１０８で、入力情報判定部３３は、アイコン１０ａからユーザーの指が離れたと判定すると（ステップＳ１０８のＮＯ）、入力情報判定部３３は、アイコン１０ａからユーザーの指が離れてからの経過時間が、予め決められた所定時間（例えば１秒）が経過したか否かを判定する（ステップＳ１１１）。
【０２０８】
そして、所定時間（例えば１秒）が経過する前に、再び、ユーザーがアイコン１０ａに指を接触させると（ステップＳ１１１のＮＯ）、入力部３を通じて、ユーザーがアイコン１０ａに指を接触させている旨の情報をシークバー制御部３２が取得する。すなわち、ステップＳ１０３に戻る。
【０２０９】
一方、入力情報判定部３３がアイコン１０ａからユーザーの指が離れてからの経過時間が、予め決められた所定時間（例えば１秒）を経過したと判定すると（ステップＳ１１１のＹＥＳ）、倍率値変更部３４は、先程、倍率値情報２２ｄから取得した倍率値より値が小さい倍率値が登録されているか否かを判定する。すなわち、倍率値変更部３４は、先程、倍率値情報２２ｄから取得した倍率値が、倍率値情報２２ｄに登録されている倍率値の下限であったか否かを判定する（ステップＳ１１２）。
【０２１０】
そして、倍率値変更部３４が取得した倍率値より値が小さい倍率値が倍率値情報２２ｄに登録されている場合（ステップＳ１１２のＮＯ）、倍率値変更部３４は、先程、取得した倍率値の次に値が小さい倍率値を、倍率値情報２２ｄから取得する（ステップＳ１１３）。
【０２１１】
そして、シークバー制御部３２は、コンテンツ再生位置情報２２ｃを参照し、現在の再生位置（アイコン１０ａの位置）を原点として、シークバー１０上のアイコン１０ａの位置が同じとなるように、倍率値変更部３４が取得した倍率値で、再生しているコンテンツの時間軸を縮小して、シークバー１０に割り当てる。そしてシークバー制御部３２は、シークバー制御部３２は、時間軸縮小後のシークバー１０、先端値１１ｂ、終端値１１ｃを、表示部２に表示させる（ステップＳ１０４）。そして、ステップＳ１１１に戻る。
【０２１２】
ステップＳ１１２で、倍率値変更部３４が取得した倍率値より値が小さい倍率値が倍率値情報２２ｄに登録されていない場合、すなわち、倍率値変更部３４は、先程、倍率値情報２２ｄから取得した倍率値が、倍率値情報２２ｄに登録されている倍率値の下限であったと判定すると（ステップＳ１１２のＹＥＳ）、ステップＳ１０３に戻る。
【０２１３】
なお、ステップＳ１０８で、ユーザーがアイコン１０ａから指を離した際（ステップＳ１０８のＹＥＳ）、ステップＳ１１１〜ステップＳ１１４で、シークバー１０に割り当てられているコンテンツの時間軸を、段階的に縮小するように説明したが、ステップＳ１０８のＹＥＳの後、ステップＳ１０２に戻り、倍率値変更部３４は、倍率値を初期値である１倍に戻し、コンテンツの総再生時間をシークバー１０の長さに割り当てて、表示部２に表示させてもよい。
【０２１４】
（プログラムおよび記録媒体）
本発明の制御部３０における各制御部は、ハードウェアロジックによって構成すればよい。又は、次のように、ＣＰＵ（Central Processing Unit）を用いてソフトウェアによって実現してもよい。
【０２１５】
すなわち、制御部３０の各制御部は、各機能を実現するプログラムの命令を実行するＭＰＵなどのＣＰＵ、このプログラムを格納したＲＯＭ（Read Only Memory）、上記プログラムを実行可能な形式に展開するＲＡＭ（Random Access Memory）、および、上記プログラムおよび各種データを格納するメモリ等の記憶装置（記録媒体）を備えている。
【０２１６】
そして、本発明の目的は、制御部３０の各制御部を実現するための制御プログラムは、プログラムメモリに固定的に担持されている場合に限らず、上記プログラムのプログラムコード（実行形式プログラム、中間コードプログラム、又は、ソースプログラム）を記録した記録媒体を、上記制御部３０の各制御部に供給し、が上記記録媒体に記録されている上記プログラムコードを読み出して実行することによっても、達成可能である。
【０２１７】
上記記録媒体は、特定の構造又は種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０２１８】
また、制御部３０の各制御部を通信ネットワークと接続可能に構成しても、本発明の目的を達成できる。この場合、上記のプログラムコードを、通信ネットワークを介して供給する。この通信ネットワークは、制御部３０の各制御部にプログラムコードを供給できるものであればよく、特定の種類又は形態に限定されない。たとえばインターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等であればよい。
【０２１９】
この通信ネットワークを構成する伝送媒体も、プログラムコードを伝送可能な任意の媒体であればよく、特定の構成又は種類のものに限定されない。たとえばＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０２２０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２２１】
本発明は、シークバーにより再生しているコンテンツの再生位置を指定する位置入力装置、位置入力装置の制御方法、制御プログラム、及びコンピュータ読み取り可能な記録媒体に利用することができる。
【符号の説明】
【０２２２】
１  画像表示装置（位置入力装置）
２  表示部
３  入力部
４  スピーカー
１０  シークバー
１０ａ  アイコン
１０ｂ  左端
１０ｃ  右端
１０ｄ  左送り用アイコン
１０ｅ  右送り用アイコン
１０ｆ  倍率固定用アイコン
１０ｚ  区間
１１ｂ  先端値
１１ｃ  終端値
２０  記憶部
２１  ＲＯＭ
２２  ＲＡＭ
２２ａ  コンテンツ総再生時間情報
２２ｂ  シークバー表示情報
２２ｃ  コンテンツ再生位置情報
２２ｄ  倍率値情報
３０  制御部
３１  コンテンツ制御部
３２  シークバー制御部
３３  入力情報判定部
３４  倍率値変更部
【図１】
2013214192.tif 000003
【図２】
2013214192.tif 000004
【図３】
2013214192.tif 000005
【図４】
2013214192.tif 000006
【図５】
2013214192.tif 000007
【図６】
2013214192.tif 000008
【図７】
2013214192.tif 000009
【図８】
2013214192.tif 000010
【図９】
2013214192.tif 000011
【図１０】
2013214192.tif 000012
【図１１】
2013214192.tif 000013
【図１２】
2013214192.tif 000014
【図１３】
2013214192.tif 000015
【図１４】
2013214192.tif 000016
【図１５】
2013214192.tif 000017
【図１６】
2013214192.tif 000018